(57)【要約】【課題】本発明は、機器取り付け基台の梱包方法に関わらず、梱包材を共用できるキャビネットの梱包を提供することを目的としている。【解決手段】本発明に係るキャビネット１の梱包は梱包用箱体２とキャビネット１の四隅に配置される緩衝材３とで構成され、緩衝材３は複数段に折り重ねて厚さを調整可能とし、折り重ねた状態の最上面には切り欠きを設けると共に、緩衝材３を折り重ねたときに、それぞれの面を係合させる係合部を設け、機器取り付け基台をキャビネット１の上面に載置して梱包する時、機器取り付け基台を緩衝材３の切り欠きに対向させて載置する一方、機器取り付け基台をキャビネット内部に収納して梱包する時、緩衝材３は折り重ねて厚みを増し、キャビネット１の上面と梱包用箱体２との間の隙間を埋めることを特徴とする。【選択図】図１
2006298423.tif 000002
【特許請求の範囲】
【請求項１】
機器を取り付けるための機器取り付け基台を有する各種機器を収納するキャビネットの梱包において、該梱包は梱包用箱体と前記キャビネットの四隅に配置される緩衝材とで構成され、前記緩衝材は複数段に折り重ねて厚さを調整可能とし、折り重ねた状態の最上面には切り欠きを設けると共に、前記緩衝材を折り重ねたときに、それぞれの面を係合させる係合部を設け、前記機器取り付け基台を前記キャビネットの上面に載置して梱包する時、前記機器取り付け基台を前記緩衝材の切り欠きに対向させて載置する一方、前記機器取り付け基台を前記キャビネット内部に収納して梱包する時、前記緩衝材は折り重ねて厚みを増し、前記キャビネットの上面と梱包用箱体との間の隙間を埋めることを特徴とするキャビネットの梱包。
【発明の詳細な説明】
【技術分野】
【０００１】
本発明は、機器を取り付けるための機器取り付け基台を有する各種機器を収納するキャビネットの梱包に関するものである。
【背景技術】
【０００２】
従来キャビネット３１を保管、輸送する場合に用いられる梱包材は、キャビネット３１の大きさに合わせたカートン３２である。キャビネット３１に機器を取り付けるための機器取り付け基台３３は、キャビネット３１の上面に載せて梱包するか、キャビネット３１の内部に収めて梱包するという方法が取られている。梱包用箱体３３はどちらの方法の場合にも共用していた。キャビネット３１の上面に機器取り付け基台３３を載せて梱包する場合、作業者がキャビネット３１を確認してそのキャビネット３１に合う機器取り付け基台３３を載せていた。また、保管する場合は、梱包を重ねて積み上げていた。
【特許文献１】実公平６−９９７９号公報
【発明の開示】
【発明が解決しようとする課題】
【０００３】
しかしながら上記従来技術によれば、キャビネットの上面に機器取り付け基台を載せて梱包する時には機器取り付け基台がキャビネットにあっているかどうか直接機器取り付け基台をキャビネットに取り付けないため、キャビネットに適合しない機器取り付け基台を誤って封入してしまう虞があった。
【０００４】
また、機器取り付け基台の封入方法の違いに関わらず、梱包用箱体は共用するため、機器取り付け基台をキャビネット内部収めて梱包する場合、キャビネットの上面と梱包用箱体の上面との間に隙間ができてしまうため、梱包用箱体を積み重ねて保管する時には、梱包用箱体の潰れが発生し、キャビネットに傷を付けてしまったり、外観を損ねてしまったりする虞があった。
【課題を解決するための手段】
【０００５】
そこで本発明は、機器取り付け基台の梱包方法に関わらず、梱包材を共用できるキャビネットの梱包を提供することを目的とし、梱包は梱包用箱体とキャビネットの四隅に配置される緩衝材とで構成され、緩衝材は複数段に折り重ねて厚さを調整可能とし、折り重ねた状態の最上面には切り欠きを設けると共に、緩衝材を折り重ねたときに、それぞれの面を係合させる係合部を設け、機器取り付け基台をキャビネットの上面に載置して梱包する時、機器取り付け基台を緩衝材の切り欠きに対向させて載置する一方、機器取り付け基台を前記キャビネット内部に収納して梱包する時、緩衝材は折り重ねて厚みを増し、キャビネットの上面と梱包用箱体との間の隙間を埋めることを特徴とする。
【発明の効果】
【０００６】
本発明に係るキャビネットの梱包は、梱包用箱体とキャビネットの四隅に配置される緩衝材とで構成され、緩衝材は複数段に折り重ねて厚さを調整可能とし、折り重ねた状態の最上面には切り欠きを設けると共に、緩衝材を折り重ねたときに、それぞれの面を係合させる係合部を設け、機器取り付け基台をキャビネットの上面に載置して梱包する時、機器取り付け基台を緩衝材の切り欠きに対向させて載置する一方、機器取り付け基台を前記キャビネット内部に収納して梱包する時、緩衝材は折り重ねて厚みを増し、キャビネットの上面と梱包用箱体との間の隙間を埋めるため、機器取り付け基台の封入間違いがなくなると共に、機器取り付け基台の封入位置の違いに関わらず、梱包は共用でき、しかも、機器取り付け基台をキャビネット内部に収めて梱包する時にも梱包用箱体の潰れを防止することができる。
【発明を実施するための最良の形態】
【０００７】
機器取り付け基台の封入間違いをなくし、機器取り付け基台をキャビネットの内部に収めた場合にも梱包用箱体の潰れを防止するという目的を、おなじ梱包材や緩衝材で共用できるようにして実現した。
【実施例１】
【０００８】
本発明に係るキャビネットの梱包を図１の添付図面に基づいて説明する。
【０００９】
機器を収納するためのキャビネット１を保管、輸送する場合に梱包するが、梱包材は、キャビネット１を覆う梱包用箱体２と、キャビネット１と梱包用箱体２との間に挟み込みキャビネット１への衝撃を押さえるための緩衝材３とで構成される。梱包用箱体２にはキャビネット１を入れ、四隅に緩衝材３を配置し、梱包用箱体２とキャビネット１の間に緩衝材３を挟み込む。
【００１０】
キャビネット１に機器を取り付けるために機器取り付け基台４をキャビネット１には組み込むが、保管や輸送中には機器取り付け基台４は、キャビネット１の上面に載せるか、キャビネット１の内部に収納した状態にするかして、梱包用箱体２に入れる。
【００１１】
緩衝材３は少なくとも三段に折り重ねることができると共に、折り重ねた時の最上面には切り欠き５を、機器取り付け基台４に対向させた形状に設ける。緩衝材を折り重ねた時、それぞれの面を係合させるための係合部６を設ける。
【００１２】
機器取り付け基台４をキャビネット１の上面に載置して梱包する場合、緩衝材３は二段に折り曲げて、キャビネット１に組み付ける。緩衝材３の最上面に設けられた切り欠き５に機器取り付け基台４の角を合わせて載置する。切り欠き５は機器取り付け基台４に対向させて設けられているので、キャビネット１に合った機器取り付け基台４でないと封入できないので、誤って異なる機器取り付け基台４を封入してしまうことがない。
【００１３】
キャビネット１の内部に機器取り付け基台４を収納して梱包する場合、緩衝材３は、三段に折り曲げて厚みを増やして用いる。機器取り付け基台４の厚みを緩衝材３で代用し、梱包用箱体２とキャビネット１の間に隙間を埋める。キャビネット１の保管や輸送の際、複数個を積み上げておく時に、緩衝材３が梱包用箱体２とキャビネット１との間に隙間があると、その隙間の部分が重みで潰れてしまっていたが、緩衝材３で隙間を埋めているので梱包用箱体の潰れを防止することができる。
【００１４】
キャビネット１を梱包する時、機器取り付け基台４をキャビネット１の上面に載せる場合も、キャビネット１の内部に収納する場合も、梱包用箱体２や緩衝材３を共用させ、且つ機器取り付け基台４の位置に対応する。
【００１５】
緩衝材３を組み立てたとき、緩衝材３の係合部６に対向する位置には凹部７をそれぞれ設け、係合部６を凹部７に係合させて組み立て、キャビネット１に配置した際、緩衝材３が元の展開状態に戻らないようにし、堅固に組み立てる。
【００１６】
係合部６は、図に示す長さに限定するものではなく、長くキャビネット１の側面に垂らすものにすると、キャビネット１の側面の緩衝となる。また、係合部６を長く垂らした場合、係合部６の内側に布等を貼付し、キャビネット１への傷防止になる。また、緩衝材３はキャビネット１の四隅に配置するので、係合部６はキャビネット１の隣り合う面にそれぞれ垂れるように少なくとも二ヶ所設ける。
【産業上の利用可能性】
【００１７】
キャビネット１を梱包する際、機器取り付け基台４を置く場所がキャビネット１の上面かキャビネット１の内部か選択でき、梱包材はどちらも共用させるため、梱包を低コストで行いたいときに適用できる。
【図面の簡単な説明】
【００１８】
【図１】本発明に係るキャビネットの梱包を示す説明図である。（実施例１）
【図２】図１における緩衝材の組み立てた状態を示す説明図である。（実施例１）
【図３】図１における緩衝材の展開図である。（実施例１）
【図４】図１における緩衝材の組み立てた状態を示す説明図である。（実施例１）
【図５】本発明に係るキャビネットの梱包を示す説明図である。（実施例１）
【図６】図４における緩衝材の組み立てた状態を示す説明図である。（実施例１）
【図７】従来技術におけるキャビネットの梱包を示す説明図である。
【図８】従来技術におけるキャビネットの梱包を示す説明図である。
【符号の説明】
【００１９】
１    キャビネット
２    梱包用箱体
３    緩衝材
４    機器取り付け基台
５    切り欠き
６    係合部
７    凹部
【図１】
2006298423.tif 000003
【図２】
2006298423.tif 000004
【図３】
2006298423.tif 000005
【図４】
2006298423.tif 000006
【図５】
2006298423.tif 000007
【図６】
2006298423.tif 000008
【図７】
2006298423.tif 000009
【図８】
2006298423.tif 000010